(57)【要約】【課題】移動群等の内部構造部品を省スペースで、かつ安定した姿勢で保持、移動させることにより、小型化を可能にしたレンズ鏡筒および光学機器を提供する。【解決手段】レンズを光軸方向に移動可能に保持するレンズ鏡筒である。第１の枠６と、第１の枠６に内挿されて光軸方向に相対移動可能に設けられた第２の枠７とを備える。第１の枠６及び第２の枠７には、円周方向を略ｎ等分する角度位置に配設された、光軸方向に延在するｎ個の直進ガイド凹部２５、３３と、直進ガイド凹部２５、３３に移動可能に係合するｎ個の直進ガイド凸部２７、３１とが設けられ、ｎ個の直進ガイド凹部２５、３３は、そのうちの１個乃至（ｎ−１）個が第１の枠６に設けられ、残りが第２の枠７に設けられ、ｎ個の直進ガイド凸部２７、３１は、それぞれ、係合する直進ガイド凹部２５、３３が設けられた枠とは異なる枠に設けられている。（ただし、ｎは２以上の整数）【選択図】図５
2015179239.tif 000002
【特許請求の範囲】
【請求項１】
レンズをその光軸方向に移動可能に保持するレンズ鏡筒であって、
前記光軸を囲む周壁を有する第１の枠と、前記光軸を囲む周壁を有し、前記第１の枠に内挿されて該第１の枠に対してその光軸方向に相対移動可能に設けられた第２の枠と、を備え、
前記第１の枠および前記第２の枠には、前記光軸回りの円周方向を略ｎ等分する角度位置に配設された、前記光軸方向に延在するｎ個の直進ガイド凹部と、該直進ガイド凹部に相対移動可能に係合するｎ個の直進ガイド凸部とが設けられ、
前記ｎ個の直進ガイド凹部は、そのうちの１個乃至（ｎ−１）個が前記第１の枠に設けられ、残りが前記第２の枠に設けられ、
前記ｎ個の直進ガイド凸部は、それぞれ、係合する直進ガイド凹部が設けられた枠とは異なる枠に設けられているレンズ鏡筒。（ただし、ｎは２以上の整数）
【請求項２】
前記ｎが３である請求項１記載のレンズ鏡筒。
【請求項３】
レンズをその光軸方向に移動可能に保持するレンズ鏡筒であって、
前記光軸を囲む周壁を有する第１の枠と、前記光軸を囲む周壁を有し、前記第１の枠に内挿されて該第１の枠に対してその光軸方向に相対移動可能に設けられた第２の枠と、前記第１の枠に外挿された固定筒と、を備え、
前記第１の枠と前記第２の枠と前記固定筒には、前記光軸回りの円周方向を略ｎ等分する角度位置に配設された、前記光軸方向に延在するｎ個の直進ガイド凹部と、該直進ガイド凹部に相対移動可能に係合するｎ個の直進ガイド凸部とが設けられ、
前記ｎ個の直進ガイド凹部は、そのうちの１個乃至（ｎ−１）個が前記第１の枠に設けられ、残りが前記第２の枠に設けられ、
前記ｎ個の直進ガイド凸部は、それぞれ、係合する直進ガイド凹部が設けられた枠とは異なる枠と前記固定筒とに設けられているレンズ鏡筒。（ただし、ｎは２以上の整数）
【請求項４】
前記ｎが３である請求項３記載のレンズ鏡筒。
【請求項５】
レンズをその光軸方向に移動可能に保持するレンズ鏡筒であって、
前記光軸を囲む周壁を有する第１の枠と、前記光軸を囲む周壁を有し、前記第１の枠に内挿されて該第１の枠に対してその光軸方向に相対移動可能に設けられた第２の枠と、前記第１の枠に外挿された固定筒と、を備え、
前記第１の枠と前記第２の枠と前記固定筒には、前記光軸回りの円周方向を略ｎ等分する角度位置に配設された、前記光軸方向に延在するｎ個の直進ガイド凹部と、該直進ガイド凹部に相対移動可能に係合するｎ個の直進ガイド凸部とが設けられ、
前記ｎ個の直進ガイド凸部は、そのうちの１個乃至（ｎ−１）個が前記第１の枠に設けられ、残りが前記第２の枠に設けられ、
前記ｎ個の直進ガイド凹部は、それぞれ、係合する直進ガイド凸部が設けられた枠とは異なる枠と前記固定筒とに設けられているレンズ鏡筒。（ただし、ｎは２以上の整数）
【請求項６】
前記ｎが３である請求項５記載のレンズ鏡筒。
【請求項７】
レンズをその光軸方向に移動可能に保持するレンズ鏡筒であって、
前記光軸を囲む周壁を有する第１の枠と、前記光軸を囲む周壁を有し、前記第１の枠に内挿されて該第１の枠に対してその光軸方向に相対移動可能に設けられた第２の枠と、を備え、
前記第１の枠および前記第２の枠には、前記光軸回りの円周方向を略ｎ等分する角度位置のうち（ｎ−１）箇所に配設された、前記光軸方向に延在する（ｎ−１）個の直進ガイド凹部と、該直進ガイド凹部に相対移動可能に係合する（ｎ−１）個の直進ガイド凸部とが設けられ、
略ｎ等分のうち前記直進ガイド凹部および前記直進ガイド凸部が配設されていない１箇所には、前記第１の枠に片持ちで配設されたシャフトと、前記第２の枠に配設された前記シャフトに系合するスリーブと、を備えているレンズ鏡筒。（ただし、ｎは３以上の整数）
【請求項８】
前記ｎが３である請求項７記載のレンズ鏡筒。
【請求項９】
レンズをその光軸方向に移動可能に保持するレンズ鏡筒であって、
前記光軸を囲む周壁を有する第１の枠と、前記光軸を囲む周壁を有し、前記第１の枠に内挿されて該第１の枠に対してその光軸方向に相対移動可能に設けられた第２の枠と、を備え、
前記第１の枠および前記第２の枠には、前記光軸回りの円周方向を略ｎ等分する角度位置のうち（ｎ−１）箇所に配設された、前記光軸方向に延在する（ｎ−１）個の直進ガイド凹部と、該直進ガイド凹部に相対移動可能に係合する（ｎ−１）個の直進ガイド凸部とが設けられ、
略ｎ等分のうち前記直進ガイド凹部および前記直進ガイド凸部が配設されていない１箇所には、前記第１の枠に両持ちで配設されたシャフトと、前記第２の枠に配設された前記シャフトに系合するスリーブと、を備えているレンズ鏡筒。（ただし、ｎは３以上の整数）
【請求項１０】
前記ｎが３である請求項９記載のレンズ鏡筒。
【請求項１１】
レンズをその光軸方向に移動可能に保持するレンズ鏡筒であって、
前記光軸を囲む周壁を有する第１の枠と、前記光軸を囲む周壁を有し、前記第１の枠に内挿されて該第１の枠に対してその光軸方向に相対移動可能に設けられた第２の枠と、を備え、
前記第１の枠および前記第２の枠には、前記光軸回りの円周方向を略ｎ等分する角度位置のうち（ｎ−１）箇所に配設された、前記光軸方向に延在する（ｎ−１）個の直進ガイド凹部と、該直進ガイド凹部に相対移動可能に係合する（ｎ−１）個の直進ガイド凸部とが設けられ、
略ｎ等分のうち前記直進ガイド凹部および前記直進ガイド凸部が配設されていない１箇所には、前記第２の枠に片持ちで配設されたシャフトと、前記第１の枠に配設された前記シャフトに系合するスリーブと、を備えているレンズ鏡筒。（ただし、ｎは３以上の整数）
【請求項１２】
前記ｎが３である請求項１１記載のレンズ鏡筒。
【請求項１３】
レンズをその光軸方向に移動可能に保持するレンズ鏡筒であって、
前記光軸を囲む周壁を有する第１の枠と、前記光軸を囲む周壁を有し、前記第１の枠に内挿されて該第１の枠に対してその光軸方向に相対移動可能に設けられた第２の枠と、を備え、
前記第１の枠および前記第２の枠には、前記光軸回りの円周方向を略ｎ等分する角度位置のうち（ｎ−１）箇所に配設された、前記光軸方向に延在する（ｎ−１）個の直進ガイド凹部と、該直進ガイド凹部に相対移動可能に係合する（ｎ−１）個の直進ガイド凸部とが設けられ、
略ｎ等分のうち前記直進ガイド凹部および前記直進ガイド凸部が配設されていない１箇所には、前記第２の枠に両持ちで配設されたシャフトと、前記第１の枠に配設された前記シャフトに系合するスリーブと、を備えているレンズ鏡筒。（ただし、ｎは３以上の整数）
【請求項１４】
前記ｎが３である請求項１３記載のレンズ鏡筒。
【請求項１５】
前記第２の枠には、その周壁に内側切欠部が形成されている請求項１〜１４のいずれか一項に記載のレンズ鏡筒。
【請求項１６】
前記第１の枠には、その周壁に外側切欠部が形成され、該外側切欠部は前記内側切欠部に連通している請求項１５記載のレンズ鏡筒。
【請求項１７】
前記第１の枠と第２の枠は両方とも光軸方向に移動可能である請求項１〜１６のいずれか一項に記載のレンズ鏡筒。
【請求項１８】
前記第１の枠と第２の枠のうち、前記第１の枠は光軸方向に移動可能である請求項１〜１６のいずれか一項に記載のレンズ鏡筒。
【請求項１９】
前記第１の枠と第２の枠のうち、前記第２の枠は光軸方向に移動可能である請求項１〜１６のいずれか一項に記載のレンズ鏡筒。
【請求項２０】
前記第１の枠に設けられた直進ガイド凸部に１つ以上の抜け止め形状が設けられている請求項１〜１９のいずれか一項に記載のレンズ鏡筒。
【請求項２１】
前記第２の枠に設けられた直進ガイド凸部に１つ以上の抜け止め形状が設けられている請求項１〜１９のいずれか一項に記載のレンズ鏡筒。
【請求項２２】
前記第１の枠に設けられた直進ガイド凹部に1つ以上の抜け止め形状が設けられている請求項１〜１９のいずれか一項に記載のレンズ鏡筒。
【請求項２３】
前記第２の枠に設けられた直進ガイド凹部に1つ以上の抜け止め形状が設けられている請求項１〜１９のいずれか一項に記載のレンズ鏡筒。
【請求項２４】
前記固定筒に設けられた直進ガイド凸部に１つ以上の抜け止め形状が設けられている請求項３または４記載のレンズ鏡筒。
【請求項２５】
前記固定筒に設けられた直進ガイド凹部に１つ以上の抜け止め形状が設けられている請求項５または６記載のレンズ鏡筒。
【請求項２６】
請求項１〜２５のいずれか一項に記載のレンズ鏡筒を備えた光学機器。
【発明の詳細な説明】
【技術分野】
【０００１】
本発明は、レンズ鏡筒および光学機器に関する。
【背景技術】
【０００２】
近年、カメラなどの光学機器では、小型化されたものの需要が増加している。特に、交換レンズシステムカメラは撮像素子が小さいため、システムとして小型化されたカメラが提供されている。また、これに影響されて従来のシステムカメラも、より小型な製品が提供されている。
【０００３】
このようなカメラ等の光学機器として、使用者が焦点距離を自由に変化させることができる、いわゆるズームレンズがある。スームレンズは、その内部にレンズ群を移動させる機構、通常はレンズ鏡筒内に配置された移動群を保持、移動させる機構を有している。このような機構として具体的には、例えば特許文献１に、固定枠と回転筒とカム筒とを有し、固定枠に溝孔部を形成し、回転筒に直進溝を形成し、カム筒に前記溝孔部を通って前記直進溝に係合する駆動ピンを形成したレンズ鏡筒が開示されている。この特許文献１のレンズ鏡筒では、前記の溝孔部、直進溝、駆動ピンをそれぞれ光軸まわりの周方向に略３等分した角度で配設し、回転筒の回動に合わせて移動群を直動させるように構成している。
【先行技術文献】
【特許文献】
【０００４】
【特許文献１】特開２０１１−７９３８号公報
【発明の概要】
【発明が解決しようとする課題】
【０００５】
ところで、前記のレンズ鏡筒にあっては、固定枠に形成された溝孔部と回転筒に形成された直進溝とが交差して配置され、これら交差する溝孔部と直進溝との両方に駆動ピンが係合するため、駆動ピンの強度を充分に確保する必要上、駆動ピンをある程度の大きさにする必要がある。したがって、このような駆動ピンに係合するため、溝孔部や直進溝もその幅を広くする必要があり、固定枠や回転筒にはその分のスペースが必要となる。
【０００６】
また、直進溝を形成する部材（回転筒）は、直進溝の変形を防止して移動群の直動性を確保する必要があるため、充分な強度を有するべく、筒を形成する側壁が全周で繋がっていることが望ましい。すなわち、仮に側壁の一部に高さ方向全域で切り欠かれてなる切欠形状が形成されると、必要とする強度が得られにくくなる。
【０００７】
しかしながら、このような直進溝を形成する部材を例えばレンズ鏡筒の内部に配置する場合、その他の内部構造部品、例えば移動群をこの部材の内側に収容する必要があるため、結果としてこの部材に切欠形状を形成できないことにより、レンズ鏡筒自体の小型化が阻まれることになる。
【０００８】
本発明は前記事情に鑑みてなされたもので、その目的とするところは、内部に配置された移動群等の内部構造部品を省スペースで、かつ安定した姿勢で保持、移動させることにより、小型化を可能にしたレンズ鏡筒および光学機器を提供することにある。
【課題を解決するための手段】
【０００９】
本発明のレンズ鏡筒は、レンズをその光軸方向に移動可能に保持するレンズ鏡筒であって、前記光軸を囲む周壁を有する第１の枠と、前記光軸を囲む周壁を有し、前記第１の枠に内挿されて該第１の枠に対してその光軸方向に相対移動可能に設けられた第２の枠と、を備え、前記第１の枠および前記第２の枠には、前記光軸回りの円周方向を略ｎ等分する角度位置に配設された、前記光軸方向に延在するｎ個の直進ガイド凹部と、該直進ガイド凹部に相対移動可能に係合するｎ個の直進ガイド凸部とが設けられ、前記ｎ個の直進ガイド凹部は、そのうちの１個乃至（ｎ−１）個が前記第１の枠に設けられ、残りが前記第２の枠に設けられ、前記ｎ個の直進ガイド凸部は、それぞれ、係合する直進ガイド凹部が設けられた枠とは異なる枠に設けられている。（ただし、ｎは２以上の整数）
なお、前記ｎは３であることが好ましい。
【００１０】
このレンズ鏡筒によれば、第１の枠に対してその光軸方向に第２の枠を相対移動させるためのガイドを構成する直進ガイド凹部と直進ガイド凸部とを、第１の枠と第２の枠とに共に混在させて形成したので、一方の枠に全ての直進ガイド凹部を形成しないため、第１の枠や第２の枠の強度を必要とされる強度に対して比較的大きくすることができ、したがってその周壁に切欠部を形成することが可能になる。
【００１１】
また、本発明の別のレンズ鏡筒は、レンズをその光軸方向に移動可能に保持するレンズ鏡筒であって、前記光軸を囲む周壁を有する第１の枠と、前記光軸を囲む周壁を有し、前記第１の枠に内挿されて該第１の枠に対してその光軸方向に相対移動可能に設けられた第２の枠と、前記第１の枠に外挿された固定筒と、を備え、前記第１の枠と前記第２の枠と前記固定筒には、前記光軸回りの円周方向を略ｎ等分する角度位置に配設された、前記光軸方向に延在するｎ個の直進ガイド凹部と、該直進ガイド凹部に相対移動可能に係合するｎ個の直進ガイド凸部とが設けられ、前記ｎ個の直進ガイド凹部は、そのうちの１個乃至（ｎ−１）個が前記第１の枠に設けられ、残りが前記第２の枠に設けられ、前記ｎ個の直進ガイド凸部は、それぞれ、係合する直進ガイド凹部が設けられた枠とは異なる枠と前記固定筒とに設けられている。（ただし、ｎは２以上の整数）
なお、前記ｎは３であることが好ましい。
【００１２】
このレンズ鏡筒によれば、第１の枠に対してその光軸方向に第２の枠を相対移動させるためのガイドを構成する直進ガイド凹部と直進ガイド凸部とを、第１の枠と第２の枠と固定筒とに混在させて形成したので、一方の枠に全ての直進ガイド凹部を形成しないため、第１の枠や第２の枠の強度を必要とされる強度に対して比較的大きくすることができ、したがってその周壁に切欠部を形成することが可能になる。
【００１３】
また、本発明の別のレンズ鏡筒は、レンズをその光軸方向に移動可能に保持するレンズ鏡筒であって、前記光軸を囲む周壁を有する第１の枠と、前記光軸を囲む周壁を有し、前記第１の枠に内挿されて該第１の枠に対してその光軸方向に相対移動可能に設けられた第２の枠と、前記第１の枠に外挿された固定筒と、を備え、前記第１の枠と前記第２の枠と前記固定筒には、前記光軸回りの円周方向を略ｎ等分する角度位置に配設された、前記光軸方向に延在するｎ個の直進ガイド凹部と、該直進ガイド凹部に相対移動可能に係合するｎ個の直進ガイド凸部とが設けられ、前記ｎ個の直進ガイド凸部は、そのうちの１個乃至（ｎ−１）個が前記第１の枠に設けられ、残りが前記第２の枠に設けられ、前記ｎ個の直進ガイド凹部は、それぞれ、係合する直進ガイド凸部が設けられた枠とは異なる枠と前記固定筒とに設けられている。（ただし、ｎは２以上の整数）
なお、前記ｎは３であることが好ましい。
【００１４】
このレンズ鏡筒によれば、第１の枠に対してその光軸方向に第２の枠を相対移動させるためのガイドを構成する直進ガイド凹部と直進ガイド凸部とを、第１の枠と第２の枠と固定筒とに混在させて形成したので、一方の枠に全ての直進ガイド凹部を形成しないため、第１の枠や第２の枠の強度を必要とされる強度に対して比較的大きくすることができ、したがってその周壁に切欠部を形成することが可能になる。
【００１５】
また、本発明の別のレンズ鏡筒は、レンズをその光軸方向に移動可能に保持するレンズ鏡筒であって、前記光軸を囲む周壁を有する第１の枠と、前記光軸を囲む周壁を有し、前記第１の枠に内挿されて該第１の枠に対してその光軸方向に相対移動可能に設けられた第２の枠と、を備え、前記第１の枠および前記第２の枠には、前記光軸回りの円周方向を略ｎ等分する角度位置のうち（ｎ−１）箇所に配設された、前記光軸方向に延在する（ｎ−１）個の直進ガイド凹部と、該直進ガイド凹部に相対移動可能に係合する（ｎ−１）個の直進ガイド凸部とが設けられ、略ｎ等分のうち前記直進ガイド凹部および前記直進ガイド凸部が配設されていない１箇所には、前記第１の枠に片持ちで配設されたシャフトと、前記第２の枠に配設された前記シャフトに系合するスリーブと、を備えている。（ただし、ｎは３以上の整数）
なお、前記ｎは３であることが好ましい。
【００１６】
このレンズ鏡筒によれば、第１の枠に対してその光軸方向に第２の枠を相対移動させるためのガイドを構成する直進ガイド凹部と直進ガイド凸部とのうちの一つを、シャフトとスリーブとによって形成したので、一方の枠に全ての直進ガイド凹部を形成しないため、第１の枠や第２の枠の強度を必要とされる強度に対して比較的大きくすることができ、したがってその周壁に切欠部を形成することが可能になる。また、シャフトを片持ちにしているので、構造が簡易になる。
【００１７】
また、本発明の別のレンズ鏡筒は、レンズをその光軸方向に移動可能に保持するレンズ鏡筒であって、前記光軸を囲む周壁を有する第１の枠と、前記光軸を囲む周壁を有し、前記第１の枠に内挿されて該第１の枠に対してその光軸方向に相対移動可能に設けられた第２の枠と、を備え、前記第１の枠および前記第２の枠には、前記光軸回りの円周方向を略ｎ等分する角度位置のうち（ｎ−１）箇所に配設された、前記光軸方向に延在する（ｎ−１）個の直進ガイド凹部と、該直進ガイド凹部に相対移動可能に係合する（ｎ−１）個の直進ガイド凸部とが設けられ、略ｎ等分のうち前記直進ガイド凹部および前記直進ガイド凸部が配設されていない１箇所には、前記第１の枠に両持ちで配設されたシャフトと、前記第２の枠に配設された前記シャフトに系合するスリーブと、を備えている。（ただし、ｎは３以上の整数）
なお、前記ｎは３であることが好ましい。
【００１８】
このレンズ鏡筒によれば、第１の枠に対してその光軸方向に第２の枠を相対移動させるためのガイドを構成する直進ガイド凹部と直進ガイド凸部とのうちの一つを、シャフトとスリーブとによって形成したので、一方の枠に全ての直進ガイド凹部を形成しないため、第１の枠や第２の枠の強度を必要とされる強度に対して比較的大きくすることができ、したがってその周壁に切欠部を形成することが可能になる。また、シャフトを両持ちにしているので、シャフトが強固に保持される。
【００１９】
また、本発明の別のレンズ鏡筒は、レンズをその光軸方向に移動可能に保持するレンズ鏡筒であって、前記光軸を囲む周壁を有する第１の枠と、前記光軸を囲む周壁を有し、前記第１の枠に内挿されて該第１の枠に対してその光軸方向に相対移動可能に設けられた第２の枠と、を備え、前記第１の枠および前記第２の枠には、前記光軸回りの円周方向を略ｎ等分する角度位置のうち（ｎ−１）箇所に配設された、前記光軸方向に延在する（ｎ−１）個の直進ガイド凹部と、該直進ガイド凹部に相対移動可能に係合する（ｎ−１）個の直進ガイド凸部とが設けられ、略ｎ等分のうち前記直進ガイド凹部および前記直進ガイド凸部が配設されていない１箇所には、前記第２の枠に片持ちで配設されたシャフトと、前記第１の枠に配設された前記シャフトに系合するスリーブと、を備えている。（ただし、ｎは３以上の整数）
なお、前記ｎは３であることが好ましい。
【００２０】
このレンズ鏡筒によれば、第１の枠に対してその光軸方向に第２の枠を相対移動させるためのガイドを構成する直進ガイド凹部と直進ガイド凸部とのうちの一つを、シャフトとスリーブとによって形成したので、一方の枠に全ての直進ガイド凹部を形成しないため、第１の枠や第２の枠の強度を必要とされる強度に対して比較的大きくすることができ、したがってその周壁に切欠部を形成することが可能になる。また、シャフトを片持ちにしているので、構造が簡易になる。
【００２１】
また、本発明の別のレンズ鏡筒は、レンズをその光軸方向に移動可能に保持するレンズ鏡筒であって、前記光軸を囲む周壁を有する第１の枠と、前記光軸を囲む周壁を有し、前記第１の枠に内挿されて該第１の枠に対してその光軸方向に相対移動可能に設けられた第２の枠と、を備え、前記第１の枠および前記第２の枠には、前記光軸回りの円周方向を略ｎ等分する角度位置のうち（ｎ−１）箇所に配設された、前記光軸方向に延在する（ｎ−１）個の直進ガイド凹部と、該直進ガイド凹部に相対移動可能に係合する（ｎ−１）個の直進ガイド凸部とが設けられ、略ｎ等分のうち前記直進ガイド凹部および前記直進ガイド凸部が配設されていない１箇所には、前記第２の枠に両持ちで配設されたシャフトと、前記第１の枠に配設された前記シャフトに系合するスリーブと、を備えている。（ただし、ｎは３以上の整数）
なお、前記ｎは３であることが好ましい。
【００２２】
このレンズ鏡筒によれば、第１の枠に対してその光軸方向に第２の枠を相対移動させるためのガイドを構成する直進ガイド凹部と直進ガイド凸部とのうちの一つを、シャフトとスリーブとによって形成したので、一方の枠に全ての直進ガイド凹部を形成しないため、第１の枠や第２の枠の強度を必要とされる強度に対して比較的大きくすることができ、したがってその周壁に切欠部を形成することが可能になる。また、シャフトを両持ちにしているので、シャフトが強固に保持される。
【００２３】
また、前記レンズ鏡筒において、前記第２の枠には、その周壁に内側切欠部が形成されていることが好ましい。
この構成によれば、特に第２の枠の内側に収容される内部構造部品を、その中心から偏らせて内側切欠部側に配置しても、該内側切欠部では周壁が無いため、第２の枠に干渉されることなく内部構造部品を収容配置することができる。したがって、従来の内側切欠部が無い第２の枠ではその周壁が内部構造部品に干渉してしまうため、この第２の枠の内径を大きくしなくてはならなかったのに対し、このレンズ鏡筒では内側切欠部を形成することでその内径を小さくしても内部構造部品を収容配置することが可能になる。すなわち、内部構造部品の収容スペースを実質的に広くすることができる。これにより、このレンズ鏡筒ではその第２の枠を、従来の第２の枠に比べて小径化することが可能になる。
【００２４】
また、前記レンズ鏡筒において、前記第１の枠には、その周壁に外側切欠部が形成され、該外側切欠部は前記内側切欠部に連通していることが好ましい。
この構成によれば、中心から偏らせて内側切欠部側に配置する内部構造部品を、さらに第１の枠の外側切欠部側にまで寄せることが可能になる。したがって、このレンズ鏡筒では、第２の枠だけでなく第１の枠の小径化も可能になる。
【００２５】
なお、前記第１の枠と第２の枠は両方とも光軸方向に移動可能であってもよく、前記第１の枠と第２の枠のうち、前記第１の枠が光軸方向に移動可能であってもよく、前記第１の枠と第２の枠のうち、前記第２の枠が光軸方向に移動可能であってもよい。
【００２６】
また、前記レンズ鏡筒においては、前記第１の枠に設けられた直進ガイド凸部に１つ以上の抜け止め形状が設けられていることが好ましい。
また、前記レンズ鏡筒においては、前記第２の枠に設けられた直進ガイド凸部に１つ以上の抜け止め形状が設けられていることが好ましい。
また、前記レンズ鏡筒においては、前記第１の枠に設けられた直進ガイド凹部に1つ以上の抜け止め形状が設けられていることが好ましい。
また、前記レンズ鏡筒においては、前記第２の枠に設けられた直進ガイド凹部に1つ以上の抜け止め形状が設けられていることが好ましい。
抜け止め形状を設けることにより、例えば落下した際の衝撃によって第１の枠と第２の枠とが外れて分離してしまうことが、防止される。
【００２７】
また、前記レンズ鏡筒においては、前記固定筒に設けられた直進ガイド凸部に１つ以上の抜け止め形状が設けられていることが好ましい。
また、前記レンズ鏡筒においては、前記固定筒に設けられた直進ガイド凹部に１つ以上の抜け止め形状が設けられていることが好ましい。
抜け止め形状を設けることにより、例えば落下した際の衝撃によって固定枠と第１の枠とが外れて分離してしまうことが、防止される。
【００２８】
本発明の光学機器は、前記のレンズ鏡筒を備えている。
この光学機器によれば、第１の枠や第２の枠の周壁に切欠部を形成することが可能になるため、内部構造部品の収容スペースを実質的に広くすることが可能になる。
【発明の効果】
【００２９】
本発明のレンズ鏡筒および光学機器によれば、第１の枠や第２の枠の周壁に切欠部を形成できるようにしたので、内部構造部品の収容スペースを実質的に広くすることができ、したがって第２の枠等を小径化することができることにより、全体の小型化を可能にすることができる。
【図面の簡単な説明】
【００３０】
【図１】本発明の第１実施形態としての交換レンズ（光学機器）の内部構造を示す側断面図である。
【図２】カム枠の概略構成を示す図であり、（ａ）は正面側から見た斜視図、（ｂ）背面側から見た斜視図である。
【図３】第２レンズ群移動枠の概略構成を示す図であり、（ａ）は正面側から見た斜視図、（ｂ）背面側から見た斜視図である。
【図４】第４レンズ群移動枠の概略構成を示す図であり、（ａ）は正面側から見た斜視図、（ｂ）背面側から見た斜視図である。
【図５】第４レンズ群移動枠を第２レンズ群移動枠内に内挿した状態を示す背面図である。
【図６】第４レンズ群移動枠を第２レンズ群移動枠内に内挿した状態を示す図であり、（ａ）は正面側から見た斜視図、（ｂ）背面側から見た斜視図である。
【図７】（ａ）、（ｂ）は本発明に係る抜け止め形状の変形例を示す要部拡大図である。
【図８】本発明に係るレンズ鏡筒の第２実施形態を説明するための要部斜視図である。
【図９】本発明に係るレンズ鏡筒の第２実施形態を説明するための要部斜視図である。
【図１０】本発明に係る抜け止め形状の変形例を示す要部側面図である。
【図１１】本発明に係るレンズ鏡筒の第３実施形態を説明するための要部斜視図である。
【発明を実施するための形態】
【００３１】
以下、本発明に係るレンズ鏡筒および光学機器について、図面を参照して詳細に説明する。
本発明に係る光学機器としては、交換レンズシステムカメラ、デジタルスチルカメラ、ビデオカメラ、監視カメラ等の、固体撮像素子を用いた撮像装置やこれに用いられる交換レンズ等が挙げられ、本発明に係るレンズ鏡筒は、前記撮像装置に用いられる交換レンズを構成するものである。
【００３２】
［第１実施形態］
図１は、本発明の第１実施形態としての交換レンズ（光学機器）の内部構造を示す側断面図であり、図１中符号１は交換レンズ、符号Ｃは光軸である。この交換レンズ１は、複数のレンズ群Ｇ１〜Ｇ４が光軸Ｃ方向に並んで配置されたレンズ鏡筒２を備えており、このレンズ鏡筒２内に配置された複数のレンズ群Ｇ１〜Ｇ４によって、インナーフォーカス式のズームレンズが構成されている。
【００３３】
このズームレンズは、物体側（交換レンズ１の正面側）から順に、第１レンズ群Ｇ１と、第２レンズ群Ｇ２と、第３レンズ群Ｇ３と、第４レンズ群Ｇ４との４群のレンズ構成を有している。また、第２レンズ群Ｇ２には絞りユニットＳが配置されている。
【００３４】
そして、このズームレンズでは、第１レンズ群Ｇ１〜第４レンズ群Ｇ４をそれぞれ光軸Ｃ方向に移動させることによって変倍（ズーミング）を行い、第３レンズ群Ｇ３を光軸Ｃ方向に移動させことによって合焦（フォーカシング）を行う。なお、ズームレンズの構成については、前述したレンズ構成に限らず、そのレンズの枚数や組み合わせなどを適宜変更して実施することができる。
【００３５】
レンズ鏡筒２は、このようなズームレンズを構成するため、略円筒状の固定枠３と、固定枠３内にて光軸Ｃ方向に移動可能に内挿された第１レンズ群移動枠４と、第１レンズ群移動枠４内にて光軸Ｃ方向に移動可能、かつ軸回り方向に回動可能に内挿されたカム枠５と、カム枠５内にて光軸Ｃ方向に相対移動可能に内挿された第２レンズ群移動枠（第１の枠）６と、第２レンズ群移動枠６内にて光軸Ｃ方向に相対移動可能に内挿された第４レンズ群移動枠（第２の枠）７と、を備えている。
【００３６】
固定枠３には、その正面側（前面側）の外周面上に略円筒状の操作環８が正逆方向に回動可能に外挿しており、操作環８より背面側に、外枠９が固定された状態で外挿している。操作環８は、図示しない制御機構により、その回動動作によって後述するズームモータユニット３６を駆動させる。また、固定枠３には、その内面に、光軸Ｃ方向に延在する３個の直進ガイド溝（図示せず）と、光軸Ｃ回りの周方向にも延在する３個のカム溝（図示せず）とが形成されている。これら直進ガイド溝、カム溝は、それぞれ略円筒状の周壁を光軸Ｃ回りの周方向に略３等分する角度位置にそれぞれ配設されている。ここで、本発明において略３等分する角度位置とは、３６０°を３等分する１２０°に対して、例えば±１０°ずれた位置までを許容する範囲とする。
【００３７】
第１レンズ群移動枠４は、全体が略円筒状に形成されたもので、その内部の正面側に略円筒状の第１レンズ群保持部１２を形成し、この第１レンズ群保持部１２内に第１レンズ群Ｇ１を保持している。この第１レンズ群移動枠４には、その外面に、前記固定枠３の直進ガイド溝に移動可能に係合する直進ガイド凸部（図示せず）が３個形成され、内面に、光軸Ｃ方向に延在する直進ガイド溝（図示せず）と、カムピン（図示せず）とが３個ずつ形成されている。これら直進ガイド凸部、直進ガイド溝、カムピンも、それぞれ略円筒状の周壁を光軸Ｃ回りの周方向に略３等分する角度位置にそれぞれ配設されている。
【００３８】
カム枠５は、その斜視図である図２（ａ）、（ｂ）に示すように円筒状のもので、外面に３個のカムピン１６と、３個の第１レンズ群移動枠用カム溝１７とを有し、内面に、３個の第２レンズ群移動枠用カム溝１８と、３個の第４レンズ群移動枠用カム溝１９とを有している。カムピン１６は、前記固定枠３のカム溝（図示せず）に相対移動可能に係合しており、第１レンズ群移動枠用カム溝１７は、前記第１レンズ群移動枠４のカムピン（図示せず）に相対移動可能に係合している。これらカムピン１６、第１レンズ群移動枠用カム溝１７、第２レンズ群移動枠用カム溝１８、第４レンズ群移動枠用カム溝１９も、それぞれ略円筒状の周壁を光軸Ｃ回りの周方向に略３等分する角度位置にそれぞれ配設されている。また、このカム枠５には、図２（ｂ）に示すようにその背面側端部の内周面に、ギヤ２０が形成されている。
【００３９】
第２レンズ群移動枠６は、その斜視図である図３（ａ）、（ｂ）に示すように、一部が切り欠かれてなる略円筒状の周壁６ａを有し、この周壁６ａの内部に、図１に示すように略円筒状の第２レンズ群保持部２１ａ、２１ｂを形成している。これら第２レンズ群保持部２１ａ内、第２レンズ群保持部２１ｂ内にはそれぞれレンズが保持されている。また、第２レンズ群保持部２１ｂ内のレンズの背面側には、第２レンズ群保持枠２２が設けられている。これら第２レンズ群保持部２１ａ、２１ｂおよび第２レンズ群保持枠２２により、第２レンズ群Ｇ２が保持されている。また、第２レンズ群Ｇ２の中には、前記した絞りユニットＳが配置されている。
【００４０】
図３（ａ）、（ｂ）に示すように第２レンズ群移動枠６の周壁６ａには、その外面の正面側の端部に３個の直進ガイド片２３が形成され、外面の光軸Ｃ方向中央部に３個のカムピン２４が形成されている。直進ガイド片２３は、前記第１レンズ群移動枠４の直進ガイド溝（図示せず）に相対移動可能に係合しており、カムピン２４は、前記カム枠５の第２レンズ群移動枠用カム溝１８に相対移動可能に係合している。
【００４１】
これら直進ガイド片２３、カムピン２４も、それぞれ略円筒状の周壁６ａを光軸Ｃ回りの周方向に略３等分する角度位置にそれぞれ配設されている。
また、図３（ｂ）に示すように周壁６ａの外面には、光軸Ｃ方向に延在する直進ガイド溝（直進ガイド凹部）２５が２個形成されている。これら直進ガイド溝２５は、周壁６ａの一部が、該周壁６ａの背面側端縁から正面側の端縁近傍まで切り欠かれたことにより、その開口が外方を向いて形成されている。
【００４２】
また、図３（ａ）、（ｂ）に示すように周壁６ａの切り欠かれた部位、すなわち第１外側切欠部２６ａ、第２外側切欠部２６ｂの間に、直進ガイドリブ（直進ガイド凸部）２７が１個形成されている。この直進ガイドリブ２７は、前記第２レンズ群保持部２１ｂ側から半径方向外方に延在し、かつ光軸Ｃ方向に延在して形成された細板状のもので、その背面側の端部に半径方向外方に突出する抜け止め突起２７ａを有している。ここで、前記２個の直進ガイド溝（直進ガイド凹部）２５と１個の直進ガイドリブ（直進ガイド凸部）２７とは、略円筒状の周壁６ａを光軸Ｃ回りの周方向に略３等分する角度位置にそれぞれ配設されている。
【００４３】
第４レンズ群移動枠７は、その斜視図である図４（ａ）、（ｂ）に示すように、一部が切り欠かれてなる略円筒状の周壁７ａを有し、この周壁７ａの背面側に、図１に示すように略円筒状のレンズ群保持部２８を形成している。レンズ群保持部２８内には第３レンズ群保持枠２８ａが設けられ、この第３レンズ群保持枠２８ａ内には第３レンズ群Ｇ３が保持されている。また、レンズ群保持部２８の背面側端部には第４レンズ群Ｇ４が保持されている。
【００４４】
図４（ａ）、（ｂ）に示すように第４レンズ群移動枠７の周壁７ａには、正面側の端部に光軸Ｃ方向に延出し、かつ半径方向外方に延出する３個の脚体２９が形成されており、これら脚体２９には、正面側端部の外面にそれぞれカムピン３０が形成されている。カムピン３０は、前記カム枠５の第４レンズ群移動枠用カム溝１９に相対移動可能に係合している。
【００４５】
また、これら３個の脚体２９のうちの２個は、直進ガイドキー（直進ガイド凸部）３１となっている。また、残りの１個の脚体２９の近傍には、該脚体２９に隣接して光軸Ｃ方向に延在する細板部３２が形成されており、この細板部３２には、その長さ方向、すなわち光軸Ｃ方向に延在して直進ガイド溝（直進ガイド凹部）３３が形成されている。この直進ガイド溝３３は、細板部３２の内面側に形成されたもので、該細板部３２の両端に開口して形成されている。また、細板部３２には、その外面側に、直進ガイド溝３３に連通する長孔３２ａが形成されている。ここで、前記２個の直進ガイドキー（直進ガイド凸部）３１と１個の直進ガイド溝（直進ガイド凹部）３３とは、略円筒状の周壁７ａを光軸Ｃ回りの周方向に略３等分する角度位置にそれぞれ配設されている。また、前記カムピン３０も同様に配置されている。
【００４６】
また、第４レンズ群移動枠７の周壁７ａには、細板部３２の両側に、周壁７ａが切り欠かれてなる部位、すなわち第１内側切欠部３４ａ、第２内側切欠部３４ｂが形成されている。第１内側切欠部３４ａは、その一部が、周壁７ａの高さ方向（光軸Ｃ方向）の全域が切り欠かれて形成されており、第２内側切欠部３４ｂは、ほぼ全体が、周壁７ａの高さ方向（光軸Ｃ方向）の全域が切り欠かれて形成されている。
【００４７】
ここで、第４レンズ群移動枠７を第２レンズ群移動枠６内に内挿した状態を示す図５、図６（ａ）、（ｂ）に示すように、第４レンズ群移動枠７の第１内側切欠部３４ａは、第２レンズ群移動枠６の第１外側切欠部２６ａに連通して形成配置されており、第２内側切欠部３４ｂは、第２外側切欠部２６ｂに連通して形成配置されている。
そして、本実施形態では、このような切欠部において、特に第２内側切欠部３４ｂと第２外側切欠部２６ｂとが連通する部位に、交換レンズ１の内部構造部品であるフォーカスモータ３５が収容配置されている。
【００４８】
すなわち、このフォーカスモータ３５は、図１、図５に示すようにレンズ鏡筒２の光軸Ｃ上、すなわち中心部に配置されたレンズ群Ｇ１〜Ｇ４に対してその側方に偏って配置されている。そして、このフォーカスモータ３５は、特に図５の背面図に示すように、一部が第４レンズ群移動枠７の周壁７ａの内面が形成する円形線より外側で、さらに第２レンズ群移動枠６の周壁６ａの内面が形成する円形より外側に位置するように、外側に偏って配置されている。その際、第４レンズ群移動枠７の周壁７ａには第２内側切欠部３４ｂが形成され、第２レンズ群移動枠６の周壁６ａには第２外側切欠部２６ｂが形成されているため、周壁６ａや周壁７ａに干渉されることなく、このようなフォーカスモータ３５の配置が可能になっている。
【００４９】
また、図５に示すように第４レンズ群移動枠７の直進ガイドキー３１は、それぞれ第２レンズ群移動枠６の直進ガイド溝２５に相対移動可能に係合し、図５、図６（ａ）、（ｂ）に示すように第４レンズ群移動枠７の直進ガイド溝３３は、第２レンズ群移動枠６の直進ガイドリブ２７に相対移動可能に係合している。また、このように直進ガイドリブ２７が直進ガイド溝３３に係合した状態で、直進ガイドリブ２７の抜け止め突起２７ａは、直進ガイド溝３３に連通する長孔３２ａに相対移動可能に係合している。これにより、直進ガイド溝３３に対する直進ガイドリブ２７の係合が外れるのが防止されている。したがって、例えばレンズ鏡筒２を不測に落下した際に、その衝撃によって第４レンズ群移動枠７が第２レンズ群移動枠６からその光軸方向に外れてしまい、これら第２レンズ群移動枠６、第４レンズ群移動枠７が分離してしまうのを防止することができる。すなわち、抜け止め突起２７ａは、本発明に係る抜け止め形状として機能する。
【００５０】
図１に示すように第４レンズ群移動枠７内には、ズームモータユニット３６が設けられており、第４レンズ群移動枠７のレンズ群保持部２８の背面側にはこれを覆って遮光環３７が設けられている。ズームモータユニット３６は、カム枠５の内面に形成されたギヤ２０（図２（ｂ）参照）と係合している。また、遮光環３７の外側には、これを囲って略円筒状のレンズマウント３８が設けられている。
このようにレンズ鏡筒２やこれを備える交換レンズ１は、手動又は自動でフォーカシングを行うための機構など、種々の公知部品が取り付けられて構成されている。
【００５１】
以上のような構造を有するレンズ鏡筒２では、操作環８の回動動作によって各レンズ群Ｇ１〜Ｇ４をその光軸Ｃ方向に進退（移動）させることができる。すなわち、操作環８を一方又は他方に回動させると、電気信号がカメラボディ（図示せず）に送られ、その操作量を基に ズームモータユニット３６が駆動する。すると、カム枠５の内面に形成されたギヤ２０がズームモータユニット３６に係合していることにより、カム枠５が回転する。
【００５２】
カム枠５にはその外面に設けられたカムピン１６が、固定枠３の内面に形成されたカム溝（図示せず）に係合しているため、カム枠５の回転に伴って、カムピン１６がカム溝内を相対移動することにより、カム枠５は固定枠３に対して前進（又は後退）する。すなわち、カム枠５はカム溝の形状に沿って固定枠３に対し回転しつつ前進（又は後退）するので、結果として螺旋状に動作する。
【００５３】
このようにしてカム枠５が螺旋状に動作すると、第１レンズ群移動枠４は、その内面に形成されたカムピン（図示せず）がカム枠５の第１レンズ群移動枠用カム溝１７に係合しており、外面に形成された直進ガイド凸部（図示せず）が固定枠３の直進ガイド溝（図示せず）に係合しているため、カム枠５の動作に伴われて前進(又は後退)する。したがって、第１レンズ群Ｇ１は光軸Ｃ方向に移動する。
【００５４】
また、カム枠５が螺旋状に動作すると、第２レンズ群移動枠６は、その外面に形成されたカムピン２４がカム枠５の第２レンズ群移動枠用カム溝１８に係合しており、直進ガイド片２３が第１レンズ群移動枠４の直進ガイド溝（図示せず）に係合しているため、カム枠５の動作に伴われて前進(又は後退)する。したがって、第２レンズ群Ｇ２も光軸Ｃ方向に移動する。
【００５５】
また、ズームモータユニット３６が駆動すると、図示しない検出機構によってその駆動量が検出され、制御機構によってその駆動量に応じた移動量が計算される。そして、この移動量に応じた適宜量をフォーカスモータ３５が駆動することにより、第３レンズ群Ｇ３が前進(又は後退)する。すなわち、第３レンズ群Ｇ３も光軸Ｃ方向に移動する。
【００５６】
また、カム枠５が螺旋状に動作すると、第４レンズ群移動枠７は、その外面に形成されたカムピン３０がカム枠５の第４レンズ群移動枠用カム溝１９に係合しており、さらに直進ガイドキー３１が第２レンズ群移動枠６の直進ガイド溝２５に係合し、直進ガイド溝３３が第２レンズ群移動枠６の直進ガイドリブ２７に係合しているため、カム枠５の動作に伴われて前進(又は後退)する。したがって、第４レンズ群Ｇ４も光軸Ｃ方向に移動する。
したがって、このレンズ鏡筒２を備える交換レンズ１では、カム枠５を回動操作することによってズーミングを行うことができる。
【００５７】
本実施形態のレンズ鏡筒２にあっては、第２レンズ群移動枠（第１の枠）６に対してその光軸Ｃ方向に第４レンズ群移動枠（第２の枠）７を相対移動させるためのガイドを構成する直進ガイド凹部（直進ガイド溝２５、直進ガイド溝３３）と直進ガイド凸部（直進ガイドリブ２７、直進ガイドキー３１）とを、第２レンズ群移動枠６と第４レンズ群移動枠７とに共に混在させて形成したので、一方の枠に全ての直進ガイド凹部を形成しないため、第２レンズ群移動枠６や第４レンズ群移動枠７の強度を、必要とされる強度に対して比較的大きくすることができる。したがって、その周壁６ａ（７ａ）に切欠部（第１外側切欠部２６ａ、第２外側切欠部２６ｂ、第１内側切欠部３４ａ、第２内側切欠部３４ｂ）を形成することができ、これにより周壁６ａ（７ａ）の切欠部によってレンズ鏡筒２内に配設する内部構造部品の収容スペースを実質的に広くすることができる。したがって、従来と同等の収容スペースにすることで、第４レンズ群移動枠７や第２レンズ群移動枠６を従来に比べて小径化することができ、これによってレンズ鏡筒２全体の小型化を可能にすることができる。つまり、内部構造部品を省スペースで、かつ安定した姿勢で保持、移動させることにより、小型化を可能にすることができる。
【００５８】
すなわち、第４レンズ群移動枠７の周壁７ａに第１内側切欠部３４ａ、第２内側切欠部３４ｂを形成しているので、この第４レンズ群移動枠７の内側に収容される内部構造部品、例えばフォーカスモータ３５を、その中心から偏らせて第２内側切欠部３４ｂ側に配置しても、該第２内側切欠部３４ｂでは周壁７ａが無いため、第４レンズ群移動枠７に干渉されることなくフォーカスモータ３５を収容配置することができる。したがって、従来の第２内側切欠部３４ｂが無い移動枠ではその周壁がフォーカスモータ３５（内部構造部品）に干渉してしまうため、この移動枠の内径を大きくしなくてはならなかったのに対し、このレンズ鏡筒２では第２内側切欠部３４ｂを形成することでその内径を小さくしても内フォーカスモータ３５を収容配置することが可能になる。すなわち、フォーカスモータ３５等の内部構造部品の収容スペースを実質的に広くすることができる。これにより、このレンズ鏡筒２では、その第４レンズ群移動枠７を、従来の移動枠に比べて小径化することができる。
【００５９】
また、第２レンズ群移動枠６の周壁６ａに第１外側切欠部２６ａ、第２外側切欠部２６ｂを形成し、これら第１外側切欠部２６ａ、第２外側切欠部２６ｂをそれぞれ第４レンズ群移動枠７の第１内側切欠部３４ａ、第２内側切欠部３４ｂに連通させているので、中心から偏らせて第１内側切欠部３４ａ、第２内側切欠部３４ｂ側に配置する内部構造部品、例えばフォーカスモータ３５を、さらに第２レンズ群移動枠６の第２外側切欠部２６ｂにまで寄せることが可能になる。したがって、このレンズ鏡筒２では、第４レンズ群移動枠７だけでなく第２レンズ群移動枠６も可能になる。
【００６０】
また、このようなレンズ鏡筒２を備えた交換レンズ（光学機器）１にあっても、第４レンズ群移動枠７や第２レンズ群移動枠６の周壁７ａ（６ａ）に切欠部を形成することができるため、フォーカスモータ３５等の内部構造部品の収容スペースを実質的に広くすることができ、したがって全体の小型化を図ることができる。
【００６１】
なお、前記実施形態では、本発明に係る抜け止め形状として、前記したように直進ガイドリブ２７（第１の枠の直進ガイド凸部）に抜け止め突起２７ａを形成したが、本発明に係る抜け止め形状としては、抜け止め突起２７ａ以外にも種々の構成を採用することができる。
【００６２】
例えば、図４に示すように第４レンズ群移動枠（第２の枠）７の直進ガイドキー（直進ガイド凸部）３１の先端部に形成した一対の抜け止め片３１ａ、３１ａも、本発明に係る抜け止め形状として機能する。すなわち、直進ガイドキー３１の先端部にてその両側に延出して形成された抜け止め片３１ａは、図５に示すように直進ガイドキー３１が第２レンズ群移動枠（第１の枠）６の直進ガイド溝（直進ガイド凹部）２５に係合している状態で、該直進ガイド溝２５を形成する周壁６ａの外面に当接している。
【００６３】
したがって、例えばレンズ鏡筒２を不測に落下した際の衝撃により、直進ガイドキー３１に第２レンズ群移動枠６の周壁６ａの内側に倒れ込む力が働いても、抜け止め片３１ａがこれを妨げているため、このような直進ガイドキー３１の倒れ込みが防止される。よって、このような直進ガイドキー３１の倒れ込みによってカムピン３０の係合が外れることなどにより、第４レンズ群移動枠７が第２レンズ群移動枠６からその光軸方向に外れてしまい、これら第２レンズ群移動枠６、第４レンズ群移動枠７が分離してしまうのを防止することができる。すなわち、抜け止め片３１ａも、本発明に係る抜け止め形状として機能する。
【００６４】
また、図７（ａ）に示すように、直進ガイド溝２５の内側に抜け止め部材２５ａを設けることもできる。抜け止め部材２５ａは、直進ガイド溝２５を形成する周壁６ａ、すなわち直進ガイド溝２５を挟んで位置した周壁６ａのそれぞれに、第２レンズ群移動枠６の内側に折曲し、さらに直進ガイド溝２５側に折曲した断面Ｌ状のものである。このような抜け止め部材２５ａを直進ガイド溝２５に設けることにより、該直進ガイド溝２５に係合した直進ガイドキー３１は、周壁６ａの内側への倒れ込みが防止される。よって、第４レンズ群移動枠７が第２レンズ群移動枠６からその光軸方向に外れてしまい、これら第２レンズ群移動枠６、第４レンズ群移動枠７が分離してしまうのを防止することができる。すなわち、抜け止め部材２５ａも、本発明に係る抜け止め形状として機能する。なお、一対の抜け止め部材２５ａを一体化して、一つの抜け止め部材として形成してもよい。
【００６５】
また、図７（ｂ）に示すように、第４レンズ群移動枠（第２の枠）７の直進ガイド溝３３の内側に、前記抜け止め部材２５ａと同様の形状の抜け止め部材３３ａを設けることもできる。ただし、その場合には、直進ガイド溝３３に係合する直進ガイドリブ２７の上端部に、前記抜け止め部材３３ａに係合する係合片２７ｂを設けておく。このような抜け止め部材３３ａを直進ガイド溝３３に設けることにより、該直進ガイド溝３３に係合した直進ガイドリブ２７は、第４レンズ群移動枠７の外側への倒れ込みが防止される。よって、第４レンズ群移動枠７が第２レンズ群移動枠６からその光軸方向に外れてしまい、これら第２レンズ群移動枠６、第４レンズ群移動枠７が分離してしまうのを防止することができる。すなわち、抜け止め部材３３ａも、本発明に係る抜け止め形状として機能する。
【００６６】
［第２実施形態］
図８は、本発明のレンズ鏡筒の第２実施形態を説明するための要部斜視図であり、図８中符号４０はレンズ鏡筒である。このレンズ鏡筒４０が図１〜図６に示したレンズ鏡筒２と異なるところは、本発明に係る３個の直進ガイド凸部のうち、１個の直進ガイド凸部は、固定枠（固定筒）３に設けられている点である。
【００６７】
すなわち、図８に示すように固定枠３には、光軸方向の一端側（図１におけるレンズマウント３８側）に、直進ガイド凸部としての直進ガイドキー４１が設けられている。この直進ガイドキー４１は、図３（ａ）、（ｂ）に示した第２レンズ群移動枠（第１の枠）６の直進ガイドリブ２７に対応する位置に設けられたもので、この直進ガイドリブ２７に代わって固定枠３に設けられたものである。
【００６８】
この直進ガイドキー４１は、図９に示すように長細い細板状のもので、その一端側にビス孔を有する取付部４１ａが一体に形成されている。この取付部４１ａが、図８に示すように固定枠３の一端側に形成された取付部材４２にビス止めされたことにより、直進ガイドキー４１は固定枠３に取り付けられ、固定されている。
【００６９】
このような構成のもとに直進ガイドキー４１は、図９に示すように直進ガイド溝３３に移動可能に係合するようになっている。また、この直進ガイドキー４１には、第４レンズ群移動枠７の細板部３２の長孔３２ａに移動可能に係合する抜け止め突起４１ｂが形成されている。この抜け止め突起４１ｂは、第１実施形態における直進ガイドリブ２７の抜け止め突起２７ａと同様に機能する。すなわち、例えばレンズ鏡筒２を不測に落下した際の衝撃によって第２レンズ群移動枠６が固定枠３からその光軸方向に外れてしまい、これら固定枠３、第２レンズ群移動枠６が分離してしまうのを防止することができる。すなわち、抜け止め突起４１ｂは、本発明に係る抜け止め形状として機能する。
【００７０】
このような構成からなるレンズ鏡筒４０にあっても、第２レンズ群移動枠（第１の枠）６に対してその光軸Ｃ方向に第４レンズ群移動枠（第２の枠）７を相対移動させるためのガイドを構成する直進ガイド凹部（直進ガイド溝２５、直進ガイド溝３３）と直進ガイド凸部（直進ガイドキー４１、直進ガイドキー３１）とを、第２レンズ群移動枠６と第４レンズ群移動枠７と固定枠３とに混在させて形成したので、一方の枠に全ての直進ガイド凹部を形成しないため、第２レンズ群移動枠６や第４レンズ群移動枠７の強度を、必要とされる強度に対して比較的大きくすることができる。したがって、その周壁６ａ（７ａ）に切欠部（第１外側切欠部２６ａ、第２外側切欠部２６ｂ、第１内側切欠部３４ａ、第２内側切欠部３４ｂ）を形成することができ、これにより周壁６ａ（７ａ）の切欠部によってレンズ鏡筒２内に配設する内部構造部品の収容スペースを実質的に広くすることができる。したがって、従来と同等の収容スペースにすることで、第４レンズ群移動枠７や第２レンズ群移動枠６を従来に比べて小径化することができ、これによってレンズ鏡筒４０全体の小型化を可能にすることができる。つまり、内部構造部品を省スペースで、かつ安定した姿勢で保持、移動させることにより、小型化を可能にすることができる。
【００７１】
なお、前記第２実施形態では、本発明に係る３個の直進ガイド凸部のうち、１個の直進ガイド凸部を固定枠３に設けるようにしたが、３個の直進ガイド凹部のうち、１個の直進ガイド凹部を固定枠３に設けるようにしてもよい。具体的には、図４（ａ）、（ｂ）に示した直進ガイド溝３３を有する細板部３２を独立した部材として第４レンズ群移動枠７から取り除き、この独立した部材を固定枠３に取り付ける。すなわち、細板部３２と対応する位置にて図８に示した直進ガイドキー４１と同様に固定枠３に取り付け、第２レンズ群移動枠６の直進ガイドリブ２７と移動可能に係合するように構成する。
【００７２】
また、図１０に示すように、このような直進ガイド溝３３を有する独立した部材である直進ガイド溝部材４３については、その先端側に溝開口を閉塞する蓋４３ａを形成しておき、この蓋４３ａが直進ガイドリブ２７の後端部に接離可能に構成しておく。直進ガイドリブ２７については、第２レンズ群移動枠６の半径方向外方に突出して設けられた板部材としておき、これによってその後端部が蓋４３ａに接離可能となるようにする。
【００７３】
これにより、例えばレンズ鏡筒２を不測に落下した際の衝撃によって第２レンズ群移動枠６が固定枠３からその光軸方向に外れてしまい、これら固定枠３、第２レンズ群移動枠６が分離してしまうのを防止することができる。すなわち、蓋４３ａは、本発明に係る抜け止め形状として機能する。
【００７４】
このような直進ガイド溝部材４３を固定枠３に設けたレンズ鏡筒にあっても、前記レンズ鏡筒４０と同様に、従来と同等の収容スペースにすることで第４レンズ群移動枠７や第２レンズ群移動枠６を従来に比べて小径化することができ、これによってレンズ鏡筒全体の小型化を可能にすることができる。つまり、内部構造部品を省スペースで、かつ安定した姿勢で保持、移動させることにより、小型化を可能にすることができる。
【００７５】
［第３実施形態］
図１１は、本発明のレンズ鏡筒の第３実施形態を説明するための要部斜視図であり、図１１中符号５０はレンズ鏡筒である。このレンズ鏡筒５０が図１〜図６に示したレンズ鏡筒２と異なるところは、本発明に係る３個の直進ガイド凸部と３個の直進ガイド凹部とのうち、それぞれ２個が第２レンズ群移動枠（第１の枠）６または第４レンズ群移動枠７（第２の枠）に設けられ、残りの１個は、直進ガイド凸部としてのシャフト５１と、直進ガイド凹部としてのスリーブ５２とによって形成されている点である。
【００７６】
図１１に示すように第２レンズ群移動枠６には、図３（ａ）、（ｂ）に示した直進ガイドリブ２７が形成された位置に、この直進ガイドリブ２７に代わってシャフト５１が設けられている。シャフト５１は、金属や硬質の樹脂からなる細長い円柱状のもので、本実施形態ではその一端部が第１保持部５３に保持固定され、他端部が第２保持部５４に保持固定されている。すなわち、シャフト５１は第２レンズ群移動枠（第１の枠）６に両持ちで配設されている。
【００７７】
スリーブ５２は、本実施形態では図４（ａ）、（ｂ）に示した直進ガイド溝３３を有する細板部３２に代えて設けられたもので、図１１に示すように脚体２９に一体に形成されている。このスリーブ５２は、脚体２９に一体に接続した基部５２ａと、該基部５２ａに一体に設けられた一対の保持板部５２ｂ、５２ｂと、これら保持板部５２ｂ、５２ｂ間を連結する連結部５２ｃとからなるもので、保持板部５２ａに形成された貫通孔５２ｄにシャフト５１を挿通させている。すなわち、第２レンズ群移動枠６と第４レンズ群移動枠７とが組み付けられた状態で、シャフト５１がスリーブ５２の貫通孔５２ｄ、５２ｄに挿通させられ、その後、このシャフト５１が第１保持部５３、第２保持部５４に保持固定されたことで、シャフト５１とスリーブ５２とが互いに係合した状態に組み立てられている。
【００７８】
このようなシャフト５１とスリーブ５２とを有するレンズ鏡筒５０にあっても、前記レンズ鏡筒２と同様に、従来と同等の収容スペースにすることで第４レンズ群移動枠７や第２レンズ群移動枠６を従来に比べて小径化することができ、これによってレンズ鏡筒５０全体の小型化を可能にすることができる。つまり、内部構造部品を省スペースで、かつ安定した姿勢で保持、移動させることにより、小型化を可能にすることができる。
また、シャフト５１を第２レンズ群移動枠６に両持ちで取り付けているので、シャフト５１を第２レンズ群移動枠６に強固に保持することができる。
【００７９】
なお、図１１に示した前記第３実施形態では、シャフト５１を、第１保持部５３と第２保持部５４とによって第２レンズ群移動枠（第１の枠）６に両持ちで保持（配設）したが、片持ちで保持することもできる。すなわち、シャフト５１を第１保持部５３のみで保持固定して片持ちし、第２保持部５４をなくすことができる。
このように構成すれば、両持ちにした場合に比べて、第２レンズ群移動枠６の構造を簡易にすることができる。
【００８０】
また、前記第３実施形態では、図３（ａ）、（ｂ）に示した直進ガイドリブ２７が形成された位置に、この直進ガイドリブ２７に代えてシャフト５１を設け、図４（ａ）、（ｂ）に示した直進ガイド溝３３を有する細板部３２が形成された位置に、この細板部３２に代えてスリーブ５２を設けたが、これらの位置関係を逆にして、直進ガイドリブ２７が形成された位置にスリーブを設け、細板部３２が形成された位置にシャフトを設けてもよい。すなわち、第２レンズ群移動枠（第１の枠）６にスリーブを設け、第４レンズ群移動枠（第２の枠）７にシャフトを設けてもよい。
【００８１】
具体的には、図１１に示したスリーブ５２を、シャフト５１を保持固定するための保持部とし、この保持部にシャフト５１を固定することにより、該保持部を介してシャフト５１を第４レンズ群移動枠（第２の枠）７に配設する。その場合に、一対の保持板部５２ｂで共にシャフト５１を保持固定することにより、シャフト５１を両持ちで保持（配設）することができる。また、外側の保持板部５２ｂ（図１１中の右側の保持板部５２ｂ）のみで保持固定することにより、シャフト５１を片持ちで保持（配設）することもできる。
【００８２】
一方、第２レンズ群移動枠（第１の枠）６に設けるスリーブについては、図１に示した第１保持部５３を例えば筒状に形成し、シャフト５１に対して挿抜可能に構成することにより、この第１保持部５３をスリーブとして機能させることができる。
【００８３】
このように、前記第３実施形態に対してシャフトとスリーブとを入れ替えた構成としても、第３実施形態のレンズ鏡筒５０と同様に、従来と同等の収容スペースにすることで第４レンズ群移動枠７や第２レンズ群移動枠６を従来に比べて小径化することができ、これによってレンズ鏡筒全体の小型化を可能にすることができる。つまり、内部構造部品を省スペースで、かつ安定した姿勢で保持、移動させることにより、小型化を可能にすることができる。
【００８４】
また、シャフト５１を第４レンズ群移動枠７に両持ちで取り付ければ、シャフト５１を第４レンズ群移動枠７に強固に保持することができる。
一方、シャフト５１を第４レンズ群移動枠７に片持ちで取り付ければ、両持ちにした場合に比べて第４レンズ群移動枠７の構造を簡易にすることができる。
【００８５】
以上、図面を参照して本発明の好適な実施形態について説明したが、本発明は前記実施形態に限定されるものではない。前述した実施形態において示した各構成部材の諸形状や組み合わせ等は一例であって、本発明の主旨から逸脱しない範囲において設計要求等に基づき種々変更可能である。
【００８６】
例えば、前記第１実施形態では、第１の枠（第２レンズ群移動枠６）に直進ガイド凹部（直進ガイド溝２５）を２個形成し、かつ直進ガイド凸部（直進ガイドリブ２７）を１個形成するとともに、第２の枠（第４レンズ群移動枠７）に直進ガイド凹部（直進ガイド溝３３）を１個形成し、かつ直進ガイド凸部（直進ガイドキー３１）を２個形成したが、逆に、第１の枠（第２レンズ群移動枠６）に直進ガイド凹部を１個形成し、かつ直進ガイド凸部を２個形成するとともに、第２の枠に直進ガイド凹部を２個形成し、かつ直進ガイド凸部を１個形成してもよい。
【００８７】
また、前記第１実施形態では、第１の枠（第２レンズ群移動枠６）および第２の枠（第４レンズ群移動枠７）に、直進ガイド凹部（直進ガイド溝２５、直進ガイド溝３３）と直進ガイド凸部（直進ガイドリブ２７、直進ガイドキー３１）とをそれぞれ３個ずつ形成し、これらを光軸Ｃ回りの円周方向を略３等分する角度位置に配置したが、直進ガイド凹部、直進ガイド凸部についてはｎ個以上（ただし、ｎは２以上の整数）であれば、２個であっても、４個以上であってもよい。なお、このように３個以外にした場合でも、これら直進ガイド凹部、直進ガイド凸部については、光軸Ｃ回りの円周方向を略ｎ等分する角度位置に配置する。
【００８８】
また、前記第実施形態では、第１の枠（第２レンズ群移動枠６）、第２の枠（第４レンズ群移動枠７）が共に固定枠３内で移動する形態について説明したが、本発明はこれに限定されることなく、例えば一方が移動し、他方が固定される形態であってもよい。
さらに、前記第１実施形態では固定枠３をカム枠５の外側に配置したが、例えば第２レンズ群移動枠６とカム枠５との間に固定枠３を配置する構成としてもよい。
【符号の説明】
【００８９】
１…交換レンズ（光学機器）、２…レンズ鏡筒、３…固定枠（固定筒）、５…カム枠、６…第２レンズ群移動枠（第１の枠）、６ａ…周壁、７…第４レンズ群移動枠（第２の枠）、７ａ…周壁、２５…直進ガイド溝（直進ガイド凹部）、２６ａ…第１外側切欠部、２６ｂ…第２外側切欠部、２７…直進ガイドリブ（直進ガイド凸部）、３１…直進ガイドキー（直進ガイド凸部）、３３…直進ガイド溝（直進ガイド凹部）、３４ａ…第１内側切欠部、３４ｂ…第２内側切欠部、３５…フォーカスモータ、Ｃ…光軸、Ｇ１…第１レンズ群、Ｇ２…第２レンズ群、Ｇ３…第３レンズ群、Ｇ４…第４レンズ群、４０…レンズ鏡筒、４１…直進ガイドキー、４３…直進ガイド溝部材、５０…レンズ鏡筒、５１…シャフト、５２…スリーブ
【図１】
2015179239.tif 000003
【図２】
2015179239.tif 000004
【図３】
2015179239.tif 000005
【図４】
2015179239.tif 000006
【図５】
2015179239.tif 000007
【図６】
2015179239.tif 000008
【図７】
2015179239.tif 000009
【図８】
2015179239.tif 000010
【図９】
2015179239.tif 000011
【図１０】
2015179239.tif 000012
【図１１】
2015179239.tif 000013